(57)【要約】【課題】断熱性能を向上させるための空気層を屋根材と屋根下地との間の空間に形成でき、かつ屋根材の取り付けを簡易にできる屋根材取付具および屋根材取付構造を提供する。【解決手段】屋根材取付具２０は、屋根材１０の係止部１２を係止する係止受体３０と、係止受体３０を嵩上げ支持する支持台４０とを備えてなる。【選択図】図１
2014114665.tif 000002
【特許請求の範囲】
【請求項１】
屋根材の側端部に形成された係止部を係止する係止受体と、該係止受体を嵩上げ支持する支持台とを備えてなることを特徴とする屋根材取付具。
【請求項２】
屋根材の側端部に形成された係止部を、屋根下地上に固定された屋根材取付具に係止して、前記屋根材を固定するようにした屋根材取付構造であって、
前記屋根材取付具は、前記係止部を係止する係止受体と、該係止受体を嵩上げ支持する支持台とを備えていることを特徴とする屋根材取付構造。
【請求項３】
請求項２において、
前記屋根材の係止部は、前記屋根材の側端部に形成された起立片の上部に鉤状の係止片を少なくとも備えた形状とされており、
前記係止受体は、前記屋根材の係止片を係止する係止受片と、該係止受片を上向きに突出させた基台部とを備えており、
前記支持台は、前記係止受体の基台部を嵌合支持する凹溝体とされており、
前記係止受体の基台部と、該基台部を嵌合支持した凹溝体よりなる支持台とを上方より固定具で前記屋根下地に対して固定したことを特徴とする屋根材取付構造。
【請求項４】
請求項３において、
前記係止受体の基台部と、前記支持台との嵌合部の側方には凹条部が形成されており、
前記起立片の下部に、前記凹条部に嵌合する凸条部が形成されていることを特徴とする屋根材取付構造。
【発明の詳細な説明】
【技術分野】
【０００１】
本発明は、屋根材の側端部に形成された係止部を係止して屋根材を屋根上に固定する屋根材取付具およびその屋根材取付構造に関する。
【背景技術】
【０００２】
従来、縦葺き用の屋根材の側端部に形成された係止部を係止して屋根材を屋根上に固定するようにした屋根材取付具およびその屋根上取付構造が種々提案されている（特許文献１、２参照）。
【０００３】
これらの文献技術はいずれも、屋根材の係止部と、屋根材取付具との係止構造に特徴を有したものである。すなわち、特許文献１には、屋根材の係止部に排水溝が形成され、その排水溝を有した部位が屋根材取付具の凹所に嵌合して係止されることが開示されており、特許文献２には、屋根材の係止部が屋根材取付具に弾性的に係合することが開示されている。
【先行技術文献】
【特許文献】
【０００４】
【特許文献１】特許第３１４８９２２号公報
【特許文献２】特許第３３５２８６７号公報
【発明の概要】
【発明が解決しようとする課題】
【０００５】
しかしながら、これらの技術はいずれも排水性能や強度性能を高めることを特徴としたものであるが、屋根材の断熱性能を向上させることについては、特段の工夫はされていない。
【０００６】
屋根材と屋根下地の間に空気層を設けるように屋根材を配設すれば断熱性能を高めることが期待できるが、従来には、そのような空気層を簡易に形成できるような屋根材取付具や屋根材取付構造は提案されていない。
【０００７】
本発明の目的は、断熱性能を向上させるための空気層を屋根材と屋根下地との間に形成でき、かつ屋根材の取り付けを簡易にできる屋根材取付具および屋根材取付構造を提供することにある。また、上記空気層の厚みを調整できるようにすることも本発明の目的とされる。
【課題を解決するための手段】
【０００８】
上記目的を達成するために、請求項１に記載の屋根材取付具は、屋根材の側端部に形成された係止部を係止する係止受体と、該係止受体を嵩上げ支持する支持台とを備えてなることを特徴とする。
【０００９】
請求項２に記載の屋根材取付構造は、屋根材の側端部に形成された係止部を、屋根下地上に固定された屋根材取付具に係止して、屋根材を固定するようにした屋根材取付構造であって、屋根材取付具は、係止部を係止する係止受体と、該係止受体を嵩上げ支持する支持台とを備えていることを特徴とする。
【００１０】
請求項３に記載の屋根材取付構造は、屋根材の係止部は、屋根材の側端部に形成された起立片の上部に鉤状の係止片を少なくとも備えた形状とされており、係止受体は、屋根材の係止片を係止する係止受片と、該係止受片を上向きに突出させた基台部とを備えており、支持台は、係止受体の基台部を嵌合支持する凹溝体とされており、係止受体の基台部と、該基台部を嵌合支持した凹溝体よりなる支持台とを上方より固定具で屋根下地に対して固定したことを特徴とする。
【００１１】
請求項４に記載の屋根材取付構造は、係止受体の基台部と、支持台との嵌合部の側方には凹条部が形成されており、起立片の下部に、凹条部に嵌合する凸条部が形成されていることを特徴とする。
【発明の効果】
【００１２】
請求項１に記載の屋根材取付具によれば、屋根材の側端部に形成された係止部を係止する係止受体と、該係止受体を嵩上げ支持する支持台とを備えてなるので、係止受体の嵩上げによって屋根材を高い位置で係止することができ、そのため屋根材を屋根下地面よりも高い位置に配するようにすることができる。その結果、屋根下地と屋根材との間に空気層を形成でき、断熱性能を向上させることができる。また、高さの異なる支持台を種々用いることで、空気層の厚みを変化させることができ、それにより断熱性能を調節することができる。
【００１３】
請求項２に記載の屋根材取付構造によれば、屋根材取付具が、屋根材の係止部を係止する係止受体と、該係止受体を嵩上げ支持する支持台とを備えているので、係止受体の嵩上げによって屋根材を高い位置で係止することができ、そのため屋根材を屋根下地面よりも高い位置に配するようにすることができる。その結果、屋根下地と屋根材との間に空気層を形成でき、断熱性能を向上させることができる。また、高さの異なる支持台を種々用いることで、空気層の厚みを変化させることができ、それにより断熱性能を調節することができる。
【００１４】
請求項３に記載の屋根材取付構造によれば、屋根材の側端部の起立片の上部に鉤状の係止片が形成されているため、その係止片を係止受体の係止受片に対し引っ掛けるだけで簡単に屋根材を取り付けることができる。また、係止受体の基台部と、基台部を嵌合支持した凹溝体よりなる支持台とを上方より固定具で屋根下地に対して固定した構造となっているため、屋根材取付具はしっかりと安定した状態に固定され、その結果、屋根材も安定して取付固定される。
【００１５】
請求項４に記載の屋根材取付構造によれば、係止受体の基台部と、支持台との嵌合部の側方には凹条部が形成されており、起立片の下部に、凹条部に嵌合する凸条部が形成されているため、屋根材はさらにしっかりと固定される。
【図面の簡単な説明】
【００１６】
【図１】本発明の一実施形態に係る屋根材取付構造において用いられる本発明の屋根材取付具を示す分解縦断面図である。
【図２】同屋根材取付具の取付状態を示す縦断面図である。
【図３】同屋根材取付構造に用いられる屋根材の縦断面図である。
【図４】同屋根材の屋根材取付具に対する取付状態および手順を示す縦断面図である。
【図５】（ａ）は同屋根材取付構造の他の使用態様を示す縦断面図、（ｂ）は同屋根材取付構造に付加される屋根上取付具の側面図である。
【発明を実施するための形態】
【００１７】
以下に、本発明の実施の形態について、添付図面をもとにして説明する。
【００１８】
図１〜図４は、本発明の一実施形態に係る屋根材取付具ならびにその屋根材取付具を用いた屋根材取付構造の一例の説明図である。なお、これらの図は、軒棟方向に直交する方向に沿って切断した状態を示す縦断面図である。
【００１９】
この屋根材取付構造は、屋根下地１上に屋根材取付具２０を固定して、その屋根材取付具２０に屋根材１０の側端部に形成された係止部１２を固定するようにしたものである。
【００２０】
本実施形態のものでは、屋根下地１は野地板で構成されている。野地板の上面には防水シートが配設されていてもよい。また、野地板を配設せずに垂木を屋根下地としてもよく、その垂木上に直接、屋根材取付具２０を固定するようにした構成としてもよい。
【００２１】
屋根材１０は、縦葺き用の屋根材であり、金属板または合成樹脂板よりなる。屋根材１０の本体部１１は平板状とされ、両側端部には上方に突出した係止部１２、１２が形成されている。係止部１２は、本体部１１の端部より外方に向けてやや傾斜して上方に突出した起立片よりなる。この起立片の上部には鉤状の係止片１２ａが形成され、下部のうちの立上がり部１２ｂの直上方には外側方に四角状に突出した凸条部１２ｃが形成されている。
【００２２】
本実施形態の図例の場合、この凸条部１２ｃ（立上がり部１２ｂの上端）の本体部１１からの高さは、後述する屋根材取付具２０の支持台４０の凹溝部４１の深さとほぼ一致している（図４参照）。
【００２３】
また、本実施形態のものでは、立上がり部１２ｂの本体部１１の面からの高さ寸法は、図４に示すように、支持台４０の底面から段部４２の上端までの高さ寸法よりも十分に小さい。
【００２４】
屋根材取付具２０は、図１に示すように、屋根材１０の係止部１２の係止片１２ａを係止する係止受体３０と、係止受体３０を嵩上げ支持する係止受体３０とは別体よりなる支持台４０とを備えて、両部材をビス５（固定具）で屋根下地１に固定できるように構成されている。
【００２５】
係止受体３０および支持台４０はともに金属材または合成樹脂材よりなり、押出成形により形成されている。なお、係止受体３０および支持台４０は、その軒棟方向の長さ寸法が屋根材１０の軒棟方向の長さ寸法に合致した長尺状のものとしてもよいし、屋根材１０を軒棟方向に沿って部分的に複数の部材で支持できるように、短尺状のものとしてもよい。
【００２６】
係止受体３０は、屋根上に隣設される両屋根材１０、１０の隣り合う係止片１２ａ、１２ａを係止するための一対の係止受片３１、３１と、その係止受片３１、３１を両端より上向きに突出させた基台部３３とを備えてなる。
【００２７】
係止受体３０には、一対の係止受片３１、３１による上方に開口した溝部３２が形成されている。係止受片３１、３１の上端の間の溝開口３２ａの幅寸法が底部３２ｂの幅寸法よりも小さくなるように、係止受片３１、３１は傾斜形成されている。
【００２８】
基台部３３は断面視矩形状であり、その外郭は上片３３ａ、下片３３ｂ、左右の側片３３ｃ、３３ｃよりなる。外郭で囲まれた中空部３３ｄは、２つの仕切り片３３ｅ、３３ｅによって３つの中空空間に仕切られている。なお、基台部３３の構造は中実構造でもよいが、強度と省材料の観点から、図例のような中空構造とすることが望ましい。
【００２９】
また、支持台４０は上方に凹溝部４１を有した凹溝体よりなり、その外郭４３は、凹溝部４１を形成した上片４３ａ、下片４３ｂ、左右の側片４３ｃ、４３ｃよりなる。外郭４３で囲まれた中空部４３ｄは、４つの仕切り片４３ｅ、４３ｅ、・・・によって５つの中空空間に仕切られている。
【００３０】
支持台４０の凹溝部４１は、係止受体３０の基台部３３を嵌合できるように、その幅寸法は基台部３３とほぼ同じかやや大とされる。また、凹溝体の両端に配された段部４２、４２は、図２に示すように凹溝部４１に係止受体３０の基台部３３が嵌合した際に、段部４２の上端と、係止受片３１の基部３１ａとの間に、側方に開口した凹条部２５が形成されるような高さとされる。つまり、支持台４０の凹溝部４１と係止受体３０の基台部３３の高さ方向の寸法関係は、基台部３３の一部が凹溝部４１に嵌合するような関係であればよい。
【００３１】
このような嵌合状態にある係止受体３０と支持台４０とは、係止受体３０の溝部３２の底部３２ｂにおいてビス５で屋根下地１に固定されている。なお、ビス止めは軒棟方向に複数個所で行うことが望ましい。
【００３２】
屋根材１０は、このように屋根下地１に固定された屋根材取付具２０、２０に対して固定される。図４に示した左側の屋根材取付具２０には、その両係止受片３１、３１に、相互に隣接する２つの屋根材１０、１０の隣り合う係止部１２、１２が係止されている。
【００３３】
屋根材１０は、その係止片１２ａを屋根材取付具２０の係止受片３１に上から被せるようにして係止される。さらに、屋根材１０は、係止受体３０の支持台４０への嵌合によってできた凹条部２５に屋根材１０の凸条部１２ｃを横から嵌め入れるようにして固定される。
【００３４】
こうして隣接する両屋根材１０、１０の係止片１２ａ、１２ａが係止された係止受体３０には、図４に示すようなカバー材５０が被せられる。
【００３５】
カバー材５０は係止受体３０の溝部３２の溝開口３２ａを塞ぐものであり、溝開口３２ａと、係止受体３０の両係止受片３１、３１とを覆う凸状のカバー部５１と、カバー部５１の両下端に配された掛止片５２、５２とを有してなる。カバー材５０は、屋根材１０、１０の屋根材取付具２０による連結部を、軒棟方向の全長にわたって覆い隠すように取り付けることが望ましい。
【００３６】
カバー材５０の両掛止片５２、５２は、相互に向かい合うように内方に突出している。カバー材５０は係止受体３０の上方から被せるように、掛止片５２、５２を係止受片３１、３１の外面をスライドさせて相互に離れるように撓ませながら下降させ、凹条部２５、２５に嵌合させることで、カバー材５０は屋根材取付具２０に取り付けられる。
【００３７】
カバー材５０は屋根材取付具２０に取り付けられると、掛止片５２、５２は、屋根材取付具２０の凹条部２５、２５に嵌合した屋根材１０、１０の凸条部１２ｃ、１２ｃをその裏側より凹条部２５、２５に入り込んで、係止受片３１、３１の基部３１ａ、３１ａに掛止される。
【００３８】
このようにカバー材５０を屋根材取付具２０に正しく取り付けることで、屋根材１０はさらにしっかりと屋根材取付具２０に取付固定される。
【００３９】
また、図４の右側の屋根材取付具２０に対しては、屋根材１０の一方（左側）の係止部１２が左側の屋根材取付具２０の係止受体３０に係止されているので、図示したように、屋根材１０の本体部１１を撓ませて係止片１２ａを係止受片３１に係止させ、その後、凸条部１２ｃを凹条部２５に嵌合すればよい。
【００４０】
以上のようにして、屋根材１０は隣設された両屋根材取付具２０、２０に取付固定される。
【００４１】
このように屋根材１０が屋根材取付具２０に取り付けられた状態では、屋根材１０の凸条部１２ｃと、本体部１１と、屋根材取付具２０の凹条部２５との位置関係から、本体部１１は屋根下地１の上面よりも一定の高さ空間（空気層３）を介した屋根下地１面に平行な位置に配される。
【００４２】
つまり、本実施形態のものでは、立上がり部１２ｂの本体部１１の面からの高さ寸法が、支持台４０の底面から段部４２の上端までの高さ寸法よりも十分に小さいので、屋根材１０の本体部１１と屋根下地１との間には、所定の厚みの空気層３が形成されている。
【００４３】
以上のような屋根材取付構造によれば、屋根材取付具２０が屋根材１０を係止する係止受体３０と、その係止受体３０を嵩上げ支持する支持台４０とより構成されているため、屋根材１０を屋根下地１面よりも高い位置に配することができる。それにより、屋根下地１と屋根材１０の本体部１１との間に空気層３を形成でき、その空気層３により断熱性能を向上させることができる。
【００４４】
このように、屋根材取付具２０は係止受体３０と支持台４０とを組み合わせて構成されているため、支持台４０の高さ寸法を種々異ならせたものを用いれば、空気層３の厚みを種々異ならせることができ、その結果、断熱性能を調節することができる。
【００４５】
また、空気層３により断熱性能を高められるため、この空気層３を断熱性能を高めるための野地板の代わりとすることができ、野地板を設けない垂木のみを屋根下地の構成とすることができる。また、その場合には、屋根材１０として透明あるいは半透明な樹脂材を用いることで、太陽光を室内に取り込むことができる。逆に、支持台４０の高さを低くして空気層３の厚みをより小さくし、かつ透明あるいは半透明な屋根材１０を用いることで、太陽光と太陽熱を効率よく室内に取り込むようにしてもよい。
【００４６】
また、屋根材１０の係止部１２の上部には鉤状の係止片１２ａが形成されているため、その係止片１２ａを係止受体３０の係止受片３１に対し引っ掛けるだけで簡単に屋根材１０を固定することができる。
【００４７】
さらに、係止受体３０と、支持台４０とは別体であるが、両部材は係止受体３０の基台部３３を支持台４０の凹溝部４１に嵌合して合体する構造であり、かつそれらを上下方向にビス５で屋根下地１に固定する固定構造であるため、屋根材取付具２０はしっかりと安定した状態に固定される。その結果、屋根材１０を安定して取付固定することができる。
【００４８】
また、屋根材取付具２０には係止受体３０と支持台４０との嵌合により両側方に凹条部２５、２５が形成され、その凹条部２５に屋根材１０の凸条部１２ｃを嵌合する構造となっているので、屋根材１０をさらにしっかりと固定させることができる。また、その凹条部２５に嵌合された屋根材１０の凸条部１２ｃの裏側からカバー材５０の掛止片５２を掛止めする構成となっているので、屋根材１０が外れるおそれはほとんどない。
【００４９】
つぎに、上記屋根材取付構造の他の使用態様について、図５（ａ）（ｂ）を参照しながら説明する。図５（ａ）は屋根材取付具を付加した屋根材取付構造の縦断面図であり、図５（ｂ）は屋根材取付具の側面図（図５（ａ）において矢印Ａ方向より見た図）である。
【００５０】
図５（ａ）（ｂ）に示すように、屋根材取付構造に対して、屋根上物品を設置するコ字形の台座部６１と、屋根材取付具２０に対して取付固定される固定部６２、６２とよりなる屋根材取付具６０をさらに付加して、屋根上物品を屋根上に取付固定できる構造とすることができる。
【００５１】
図５（ａ）の屋根材取付具６０は、係止受体３０の底部３２ｂに載置されるように溝部３２内に収容され、台座部６１の上部が溝開口３２ａよりも上方に突出して設置されている。屋根材取付具６０は、溝部３２の底部３２ｂに載せ置かれた状態で、その固定部６２、６２と、係止受体３０と、支持台４０とが一体にビス５で屋根下地１に固定されている。
【００５２】
このように、屋根材取付具６０は屋根材取付具２０を利用して簡易に取り付けることができ、屋根材取付具６０の台座部６１に種々の屋根上物品を設置することができる。
【００５３】
なお、屋根材１０の係止部１２と、屋根材取付具２０の係止受体３０との係止構造は上述のものには限られず、種々の係止構造を採用することができる。
【００５４】
また、以上には実施形態として縦葺き用の屋根材１０を対象とした屋根材取付構造および屋根材取付具を例示したが、同様の構造は横葺き用の屋根材を対象とした屋根材取付構造および屋根材取付具にも適用できる。
【符号の説明】
【００５５】
１          屋根下地
３          空気層
５          ビス（固定具）
１０        屋根材
１１        本体部
１２        係止部
１２ａ      係止片
１２ｂ      立上がり部
１２ｃ      凸条部
２０        屋根材取付具
２５        凹条部
３０        係止受体
３１        係止受片
３１ａ      基部
３２        溝部
３２ａ      溝開口
３２ｂ      底部
３３        基台部
４０        支持台
４１        凹溝部
４２        段部
５０        カバー材
５１        カバー部
５２        掛止片
６０        屋根材取付具
６１        台座部
６２        固定部
【図１】
2014114665.tif 000003
【図２】
2014114665.tif 000004
【図３】
2014114665.tif 000005
【図４】
2014114665.tif 000006
【図５】
2014114665.tif 000007